(57)【要約】      （修正有）【課題】転倒及び／又は溺水に関連する致命的な浴室事故を防ぐための装置の提供。【解決手段】浴槽の排水パイプを閉じるための風呂栓装置であり、風呂栓装置は、風呂栓１０と、風呂栓１０に取り付けられたコーンまたは突出部２０と、コーンまたは突出部２０の左側及び／又は右側に取り付けられた少なくとも１つのペダル状部またはフットレスト部３０とを備え、少なくとも１つのフットレスト部３０は、実質的に、浴槽の全幅を占め、風呂栓装置は、風呂栓装置が排水パイプから外れると直ぐに浮き始めるように、水の密度より僅かに小さい総合密度を有する、風呂栓装置。【選択図】図１
2020014858.tif 000002
【特許請求の範囲】
【請求項１】
浴槽の排水パイプを閉じるための風呂栓装置であって、該風呂栓装置は、
風呂栓（１０）と、
前記風呂栓（１０）の頂部に取り付けられたコーン（２０）と、
前記コーン（２０）の左側及び／又は右側に取り付けられた少なくとも１つのペダル状
部（３０）と、を備える、風呂栓装置。
【請求項２】
浴槽の排水パイプを閉じるための風呂栓装置であって、該風呂栓装置は、
風呂栓（１０）と、
前記風呂栓（１０）の頂部に取り付けられた突出部（２０）と、
前記突出部（２０）の左側及び／又は右側に取り付けられた、少なくとも１つのフット
レスト部（３０）と、を備える、風呂栓装置。
【請求項３】
請求項２に記載の風呂栓装置において、
前記少なくとも１つのフットレスト部（３０）は、実質的に、前記浴槽の全幅を占める
、風呂栓装置。
【請求項４】
請求項１から３の何れか一項に記載の風呂栓装置において、
前記風呂栓装置は、前記風呂栓装置が前記排水パイプから外れると直ぐに浮き始めるよ
うに、水の密度より僅かに小さい総合密度を有する、風呂栓装置。
【請求項５】
請求項１から４の何れか一項に記載の風呂栓装置において、
前記風呂栓（１０）は、固定ワイヤによって、電気モータ又は圧縮空気チューブに接続
されている、風呂栓装置。
【請求項６】
請求項２から５の何れか一項に記載の風呂栓装置において、
傾きセンサが前記突出部（２０）内に固定され、前記傾きセンサは、風呂安全スイッチ
及び／又はホームサーバに無線接続される、風呂栓装置。
【請求項７】
シャワーの天井にある固定点と、
前記固定点に枢動自在に接続された２つのアームピットフックと、
を備える、シャワー転倒防止装置。
【請求項８】
請求項７に記載のシャワー転倒防止装置において、
前記固定点とバー（３００）との間に接続されたロッドをさらに備え、
前記アームピットフックは、前記バー（３００）の右端及び左端に接続される、シャワ
ー転倒防止装置。
【請求項９】
請求項７又は８に記載のシャワー転倒防止装置において、
前記固定点に固定され且つ前記固定点と前記ロッド（１００）との間に接続された、、
強いゴムバンド又はボックス（１１２）内に巻き上げられた伸縮自在の格納式ベルト（１
１０）をさらに備える、シャワー転倒防止装置。
【請求項１０】
請求項７から９の何れか一項に記載のシャワー転倒防止装置において、
前記ロッド（１００）の隣にあり、かつ１つの前記アームピットホックの自由端の延長
部を介して前記バー（３００）に接続されたハンドル（２００）をさらに備える、シャワ
ー転倒防止装置。
【請求項１１】
請求項７から１０の何れか一項に記載のシャワー転倒防止装置において、
１つの前記アームピットホックの自由端の延長部に形成されたクッション（４００）を
さらに備え、
前記クッション（４００）は、上方向及び横方向に移動可能である、シャワー転倒防止
装置。
【請求項１２】
シャワーの天井の中央近くに固定された、強いゴムバンド又はボックス（１１２）内に
巻き上げられた伸縮自在の格納式ベルト（１１０）と、
前記強いゴムバンド又は前記伸縮自在の格納式ベルト（１１０）に固定されたロッド（
１００）と、
固体部（３００）の直線部分又は僅かな湾曲部分の中間で又はその近くで、前記ロッド
（１００）に固定された、固体部（３００）と、
前記ロッド（１００）の左に位置し、かつ前記固体部（３００）に接続されたハンドル
（２００）と、
前記直線部分又は僅かな湾曲部分の右側の延長部分に形成されたクッション（４００）
と、を備え、
前記クッション（４００）は、上方向及び横方向に移動可能であり、
前記固体部（３００）は、前記ハンドル（２００）から下に曲げられ、次に後方へ半円
形に曲げられ、その後再び上へ曲げられ、そこから前記直線部分又は僅かな湾曲部分が前
記右側まで続き、そこで再び半円形に下へ曲げられている、シャワー転倒防止装置。
【請求項１３】
固定点に固定された少なくとも１つのロッド（１００’）と、
固体部（３００）の直線部分又は僅かな湾曲部分で、前記少なくとも１つのロッド（１
００’）に接続された固体部（３００）と、
前記固体部（３００）に接続されたハンドル（２００）と、
前記直線部分又は僅かな湾曲部分の右側の延長部分に形成されたクッション（４００）
と、を備え、
前記クッション（４００）は、上方向及び横方向に移動可能であり、
前記固体部（３００）は、前記ハンドル（２００）から下へ曲げられ、次に後方へ半円
形に曲げられ、その後再び上へ曲げられ、そこから前記直線部分又は僅かな湾曲部分が前
記右側まで続き、そこで再び半円形に下へ曲げられている、シャワー転倒防止装置。
【請求項１４】
請求項１２又は１３に記載のシャワー転倒防止装置において、
前記固体部（３００）の前記直線部分又は僅かな湾曲部分は、前記固体部（３００）内
の伸縮機構によって、伸縮自在で格納可能である、シャワー転倒防止装置。
【請求項１５】
請求項１２から１４の何れか一項に記載のシャワー転倒防止装置において、
前記ロッド（１００）及び前記固定部（３００）は、全体に完全なクッションが設けら
れている、シャワー転倒防止装置。
【請求項１６】
請求項７から１５の何れか一項に記載のシャワー転倒防止装置と、
前記ベルト（１１０）又はその格納部（１１２）に取り付けられた、無線接続機能及び
バッテリを有するスイッチと、
前記スイッチに無線接続され、かつ前記スイッチが作動したときにアラーム情報を送信
する、コンピューティング装置と、
を備える、シャワー転倒防止システム。
【請求項１７】
請求項１６に記載のシャワー転倒防止システムにおいて、
前記クッション（４００）と一体化された、前記コンピューティング装置との無線接続
機能及びバッテリを有するスイッチさらに備える、シャワー落下防止システム。
【発明の詳細な説明】
【技術分野】
【０００１】
本発明は、致命的な浴室事故を防ぐための装置に関する。特に、本発明は、転倒及び／
又は溺水に関連する致命的な浴室事故を防ぐための装置に関する。
【背景技術】
【０００２】
現在の高齢者は、これまで以上に、活発に活動している。彼らは、特別な施設及び老人
ホームへ入居するよりも、長い間住んでいる自分の家をリタイア後に住むのに理想的な場
所であると考えている。従って、彼らは、自分の家に身を置く。これは、最近の１５年か
ら２５年の間に起きた世代的な変化である。それよりも以前、退職者は、通常、今よりも
はるかに若い年齢で、老人ホーム又は生活施設に入居することを考えていた。現在、老人
ホームは、認知症等の病気が進行した人々又は他の２４時間扶助が必要な人々を助けるた
めに最も使用されている。
【０００３】
ほとんどの事故は、家で起こる。特に、浴室内の事故は、表面が滑りやすく、さらに衣
服による保護が無いことから、致命傷となるリスクが高い。例えば、高齢者は、入浴中に
、気を失うことがある。気を失った人々は、時間内に目覚めることができなければ、浴槽
内で溺れてしまう可能性がある。別の一般的な事故は、シャワー内で滑ることであり、こ
れは、骨折又は類似の損傷につながる可能性がある。
【０００４】
よって、浴室内の致命傷を防ぐためのセキュリティ方法及び機器が、特に高齢者又は他
の疾患になりやすい人々（例えば、癲癇に苦しむ人々）のために、必要である。
【０００５】
高齢者や、多発性硬化症又は癲癇を有する人々の中では、浴槽内で溺れることは、一般
的に、死の原因となる。人間が浴槽内で一度気を失うと、頭が水面下に入るまで、身体は
、滑り落ちていく。彼又は彼女は、意識を回復しなければ、３分以内に溺死する。
【０００６】
本発明は、気絶した身体の動きを使用し、浴槽から水を流出させることで生存の機会を
高める。
【０００７】
さらに、シャワー内で滑ることは知られているが、これが、高齢者の中で重傷及び死の
原因となることは、ほとんど研究されていない。シャワー内で倒れた際の主な怪我は、
・上腿骨の骨折
・腰部の骨折
・下腿骨の骨折、特に脛部分の骨折
・脳震盪
・脊髄の損傷
・鼻、指及び手の骨折、及び、
・頭蓋骨の骨折
である。
【０００８】
ある損傷は治癒するが、他の損傷は、深刻な事態を引き起こす。例えば、既に弱ってい
た人の腰部骨折は死に至るかもしれないような過酷な手術を必要とし得る。
【０００９】
本発明は、転倒を防止しようとするものではない。転倒防止への試みは、主に米国の医
学会で試されているが、成功していない。転倒には、シャワーにハンドルを付け加えたり
又は滑り止めマットを取り付けたりすることによって解決することができない、幾つかの
原因がある。特に、高齢者は、シャワーを浴びている間に、突然、脚の筋力の喪失（「弱
い膝」）を感じ、めまいを感じて転倒することがあり；シャワー中人の重心は常に変化す
るため、滑り止めマットもシャワーハンドルも役に立たない。
【００１０】
最も完璧な保護は、シャワー内に椅子を配置するか、又は、パラシュートのような構造
のベルトを着用するかの何れかであろう。しかしながら、後者は不快なだけでなく、着用
が難しく、またベルトによって縛られた部分の皮膚を洗浄することができなくなる。一般
的に、立てない人はシャワーで椅子を使用しているが、これも、不快な選択肢のままであ
る。シャワーから出るときに、椅子が動き始めたときに、又は、身体が石鹸及び水で覆わ
れているときに、転倒することがある。
【発明の概要】
【００１１】
よって、添付の独立請求項に記載の本発明が提供される。従って、第１の好適な実施形
態では、本発明は、浴槽の排水パイプを閉めるための風呂栓装置を提供し、該風呂栓装置
は、風呂栓と、前記風呂栓の頂部に取り付けられたコーンと、前記コーンの左側及び／又
は右側に取り付けられた少なくとも１つのペダル状部とを備える。
【００１２】
第２の好適な実施形態では、本発明は、浴槽の排水パイプを閉じるための風呂栓装置を
提供し、該風呂栓装置は、風呂栓と、前記風呂栓の頂部に取り付けられた突出部と、前記
突出部の左及び／又は右に取り付けられた、少なくとも１つのフットレスト部とを備える
。
【００１３】
第２の好適な実施形態に係る一実施形態において、前記少なくとも１つのフットレスト
部（又はペダル状部）は、実質的に、前記浴槽の全幅を占める。
【００１４】
上述の第１又は第２の好適な実施形態に係る一実施形態において、前記風呂栓装置は、
風呂栓装置が前記排水パイプから外れると直ぐに浮き始めるように、水の密度よりわずか
に低い総合密度を有する。
【００１５】
上述の第１又は第２の好適な実施形態に係る一実施形態において、前記風呂栓は、固定
ワイヤによって、電気モータ又は圧縮空気チューブに接続される。
【００１６】
上述の第１又は第２の好適な実施形態に係る一実施形態において、傾きセンサが前記突
出部内に固定され、前記傾きセンサは、風呂安全スイッチ及び／又はホームサーバに無線
接続される。
【００１７】
第３の好適な実施形態では、本発明は、シャワー転倒防止装置を提供し、該シャワー転
倒防止装置は、シャワーの天井にある固定点と、前記固定点に枢動自在に接続された２つ
のアームピットホックとを備える。
【００１８】
上述の第３の好適な実施形態に係る一実施形態において、前記シャワー転倒防止装置は
、前記固定点とバーとの間に接続されたロッドをさらに備え、前記アームピットホックは
、前記バーの右端及び左端に接続される。
【００１９】
上述の第３の好適な実施形態に係る一実施形態において、前記シャワー転倒防止装置は
、前記固定点に固定され且つ前記固定点と前記ロッドとの間に接続された、強いゴムバン
ド又はボックス内に巻き上げられた伸縮自在の格納式ベルトをさらに備える。
【００２０】
上述の第３の好適な実施形態に係る一実施形態において、前記シャワー転倒防止装置は
、前記ロッドの隣にあり、かつ１つの前記アームピットホックの自由端の延長部を介して
前記バーに接続されたハンドルをさらに備える。
【００２１】
上述の第３の好適な実施形態に係る一実施形態において、前記シャワー転倒防止装置は
、１つの前記アームピットホックの自由端の延長部に形成されたクッションをさらに備え
、前記クッションは、上方向及び横方向に移動可能である。
【００２２】
第４の好適な実施形態では、本発明は、シャワー転倒防止装置を提供し、該シャワー転
倒防止装置は、シャワーの天井の中央近くに固定された、強いゴムバンド又はボックス内
に巻き上げられた拡張可能及び格納可能なベルトと、前記強いゴムバンド又は前記伸縮自
在の格納式ベルトに固定されたロッドと、固体部の直線部分又は僅かな湾曲部分の中間で
又はその近くで、前記ロッドに固定された固体部（例えば、鉄部）と、前記ロッドの左に
位置し、かつ前記固体部に接続されたハンドルと、前記直線部分又は僅かな湾曲部分の右
側の延長部分に形成されたクッションとを備える。前記固体部は、前記ハンドルから下に
曲げられ、次に後方へ半円形に曲げられ、その後再び上に曲げられ、そこから前記直線部
分又は湾曲部分が前記右側まで続き、そこで半円形に下へ曲げられている。前記クッショ
ンは、上方向及び横方向に移動可能である。直線
【００２３】
第５の好適な実施形態では、本発明は、シャワー転倒防止装置を提供し、該シャワー転
倒防止装置は、固定点に固定された少なくとも１つのロッドと、固体部の直線部分又は僅
かな湾曲部分で、前記少なくとも１つのロッドに接続された固体部と、前記固体部に接続
されたハンドルと、前記直線部分又は僅かな湾曲部分の右側の延長部分に形成されたクッ
ションとを備える。前記固体部は、前記ハンドルから下へ曲げられ、次に後方へ半円形に
曲げられ、その後再び上に曲げられ、そこから前記直線部分又は湾曲部分が前記右側まで
続き、そこで半円形に下へ曲げられている。前記クッションは、上方向及び横方向に移動
可能である。直線
【００２４】
上述の第３から第５の好適な実施形態に係る一実施形態において、前記固体部（又はバ
ー）の直線部分又は僅かな湾曲部分は、前記固体部内の伸縮機構によって、伸縮自在で格
納可能である。
【００２５】
上述の第３から第５の好適な実施形態に係る一実施形態において、前記ロッド及び前記
固定部は、全体に完全なクッションが設けられる。
【００２６】
第６の好適な実施形態では、シャワー落下防止システムが提供される。該シャワー落下
防止システムは、上述の第３から第５の好適な実施形態の１つに係るシャワー転倒防止装
置と、前記ベルト又は前記格納ユニットに取り付けられた、無線接続機能及びバッテリを
有するスイッチと、前記スイッチに無線接続され、かつ前記スイッチが作動したときにア
ラーム情報を送信する、コンピューティング装置とを備える。
【００２７】
第６の実施形態において、前記シャワー落下防止システムは、前記クッションと一体化
された、前記コンピューティング装置との無線接続機能及びバッテリを有するスイッチを
さらに備える。
【００２８】
本明細において提示する全ての図面は、概略的なものであり、部分は、他の部分のみと
の関連で解釈されるべきである。図面及び説明は、本発明の理解を容易にするために参照
符号を使用する。必要に応じて、本発明の同一又は同様の部分には、同一参照符号を使用
する。
【図面の簡単な説明】
【００２９】
【図１】本発明の好適な実施形態に係る風呂栓装置の概略図である。
【図２】本発明の第１の好適な実施形態に係るシャワー転倒防止装置の概略図である。
【図３】本発明の第１の好適な実施形態に係るシャワー転倒防止装置の斜視図である。
【図４】本発明の第２の好適な実施形態に係るシャワー転倒防止装置の概略図である。
【発明を実施するための形態】
【００３０】
［１：浴槽内での溺死防止装置−マニュアル型］
図１は、本発明の好適な実施形態に係る風呂栓装置の概略図である。図１によれば、コ
ーン２０は、風呂栓１０の頂部に取り付けられて使用される。少なくとも１つのペダル状
部３０（図１に示すように、好適には２つ）は、コーン２０の左側に及び／又は右側に取
り付けられて、浴槽のほぼ幅全体を覆う。ユーザは、自身の足をコーンの側に置かずに、
好適には自身の膝を少し持ち上げて自身の身体に近付けると想定される。
【００３１】
ユーザが一旦意識を失うと、身体は浴槽に沿って降下し、脚がペダル３０又はコーン２
０自体を押す。これによって、コーン２０がユーザから遠ざけられ、風呂栓が持ち上げら
れ、水が流出する。一実施形態では、風呂栓装置は、風呂栓装置がパイプから外れると直
ぐに浮き始めるように、（例えば、空気含有空洞が形成された風呂栓材料の選択によって
）水の密度よりわずかに低い総合密度を有する。従って、風呂栓１０は一旦外れるとパイ
プ閉鎖状態に戻らないため、浴槽の排水は妨げられない。
【００３２】
水位が低下するとともに、生存の機会は劇的に高まる。それは、水の流出速度と浴槽を
排水するのに必要な時間の問題に過ぎない。これは、パイプの直径及び水位レベルによっ
て、計算することができる。
【００３３】
［２：浴槽内での溺死防止装置−電気型］
電気型（不図示）では、コーン２０は、排水パイプの上に配置される。しかしながら、
風呂栓１０は、コーン２０内に存在し、栓は、固定ワイヤによって、電気モータ又は圧縮
空気チューブ、及び、コーン２０内に固定されたジャイロメータ等の傾きセンサに接続さ
れ、これらは、次に、浴槽安全スイッチ、及び／又は、安全サービスを提供するホームサ
ーバ、例えば、公的サービス（コールセンタ、警察、救急者、消防署等）でアラームをト
リガすることができるソフトウェアに無線接続される。コーン２０は、その側面に、栓１
０とモータ又はチューブとの間に、開口部を有する。完全に格納された状態では、栓は、
開口部の上方にある。
【００３４】
浴室のスイッチが一旦押されると、この情報は、コーン２０に伝送され、電気モータ又
は圧縮空気チューブによって、栓が開口部の上に持ち上げられる。これにより、水が、コ
ーン２０に入り込み、現在開いている排水パイプから流出する。さらに、水位が低下する
。
【００３５】
前述したペダル３０は、同様に、コーン２０の電気的な実施形態にも潜在的に取り付け
ることができる。
【００３６】
コーン２０が押し下げられる場合、埋め込み型のジェイロメータは、モータ又はチュー
ブの上向きの動きをトリガする。さらに、ジャイロメータは、さらなる安全サービスに通
知するために、遭難信号を浴槽安全スイッチ及び／又はホームサーバに送信する。例えば
、コールセンタのオペレータは、まず、浴室内のユーザに通信してもよく、ユーザの反応
が無い場合、写真又はビデオ信号がオペレータに送信されてもよい。しかしながら、加え
て又は代わりに、隣人、家の住人又は近所の親戚（「第１応答者」）への通知のような、
他の安全手段をトリガしてもよい。このような通知は、各第１応答者の携帯電話のソフト
ウェアを介して、提供されてもよい。このような手段（つまり、どのようなケースに誰が
通知を受けるべきか）は、ユーザによって予め選択されてもよい。
【００３７】
［３：シャワー転倒防止］
図２は、本発明の第１の好適な実施形態に係るシャワー転倒防止装置の概略図である。
図３は、本発明の第１の好適な実施形態に係るシャワー転倒防止装置の斜視図である。本
発明は、動きやすさを与えるように構成されたものである。通常、その構造は、皮膚との
接触を必要としない。
【００３８】
［ハードウェア］
図示のロッド１００は、好適には鉄又はステンレス鋼から作られ、シャワー天井の中心
近くに、強いゴムバンドによって極く僅かの余裕で固定されるか、望ましくはユーザの快
適さのために伸縮自在の格納式ベルト１１０によって固定され、このベルト１１０は、安
全ベルト格納ユニットと同様のボックス１１２内に巻き上げられている。このユニットが
浴室に取り付けられる場合、このユニットは、人がシャワー中に通常立つ場所の天井に垂
直に設置される。
【００３９】
ロッド１００の左側に、ハンドル２００が取り付けられる。固体部３００は、ハンドル
２００から下へ曲げられ、次に後方へ半円形に曲げられ、その後再び上へ曲げられ、そこ
から直線部分又は（図３に示す）僅かな湾曲部分が右側まで続き、そこで、再び半円形に
下へ曲げられる。固体部３００は、直線部分又は僅かな湾曲部分の中間で又はその近くで
、ロッド１００に固定される。
【００４０】
前記直線部分又は僅かな湾曲部分は、例えばロッド内の伸縮機構によって、伸縮自在で
格納可能である。この伸縮機構の例として、限定されないが、拡張プラグ伸縮ロッド又は
他の適切な戻り止め機構が挙げられる。固体部３００は、再び上に曲げられ、次に左へユ
ニット全幅の約半分の点まで曲げられる。その点に、小さな柔らかいクッションが配置さ
れる。ユニットの好適な形態では、このクッション４００は、上方及び横方向に移動させ
ることができ、適切なロック機構によって所定の位置でロックされてもよい。クッション
４００は、シャワー内で滑ったり、シャワーの壁（不図示）の方へ倒れたりした、ユーザ
の顔及び頭部の損傷を防ぐために提供される。
【００４１】
さらなる快適さのために、ロッド３００は、全域に、特に脇の下が落ちる箇所に、完全
なクッション（不図示）を設けることができる。代替的な形態では、シャワーの壁を、三
角形のクッション（不図示）で覆うことができ、この場合、三角形の長辺を壁に取り付け
、最短辺を三角形のクッションの長辺の下にする。
【００４２】
図４は、本発明の第２の好適な実施形態に係るシャワー転倒防止装置の概略図である。
基本的に、図４の実施形態は、図２及び図３に示す実施形態と一致する。前述の実施形態
間との違いは、図４のロッド１００’の固定の仕方にある。ロッド１０１’は、図２及び
図３に示すような可撓性部材（例えば、ベルト１１２）に固定されないで、代わりに、シ
ャワー内のどこかの固定点に固定された１つ以上の固体ロッド１００’を備える。例えば
、ロッド１００’は、シャワータブに直接固定されてもよいし、又は、シャワーを囲む壁
に固定されてもよい。ロッド１００’の数及び安定性は、倒れる人を支えるのに十分な安
定性を装置が提供するように、選択される。シャワーを出入りするときのユーザの邪魔に
ならないよう、ロッド１００’を配置することに留意すべきである。
【００４３】
［使用方法］
ユーザは、シャワーに入り、自分の身体を落下防止装置の前の開口部に、装置の直線部
分又は僅かな湾曲部分が自分の背中に肩から肩まで近づくように入れる。ユーザは左腕を
装置の左側部分に通して左脇をユニットの左半円部の上にする。なお、左手で自分の左側
のハンドル２００を握る。次に、ユーザ、右腕を、右半円部の上へ伸ばす。ユーザは、背
後の装置を肩の下に移動させ、装置を快適な幅まで、伸ばすか縮める。その後、ユーザは
、柔らかいクッション４００を、自身の頭部の前及びその近くに配置する。
【００４４】
ユーザが装置の固体部を一旦着用すれば、ユーザは、シャワー内を自由に動くことがで
き、左右の湾曲部分が肩の下に留まるのみである。
【００４５】
［機能性］
転倒の場合、ユーザの身体は、下方向及び／又は前方向に動く。前方向の動きは、左側
で、ハンドル２００を有する固体部品によって止まり、中央部で、顔の近くのクッション
４００によって止まる。このクッションは、激しい転倒の場合には、頭部を安定させる。
ユーザの滑り落ちは、脇が下側の半円に落ちたときに、その落下が止まる。
【００４６】
その後、落下は、ゴムバンド（不図示）又はベルト格納ユニット１１２内のロックの何
れかによって、止まる。
【００４７】
壁上のクッション（上述したが、不図示）は、激しい転倒の場合に、壁から後頭部を保
護する。二番目に長い辺を頂部に配置することによって、頭部は、クッション上に滑り落
ちることができ、頭部を全く動かす必要がないので、頭部のさらなる損傷を引き起こす可
能性はない。
【００４８】
［ホームセキュリティニユットへの接続］
本発明の好適な形式では、無線接続機能を有するスイッチとバッテリとが、ベルト１１
０又は格納ユニット１１２に取り付けられる。衝撃がゴムバンド又は格納ユニットのロッ
クに一旦伝達されれば、スイッチは、信号を遠隔サーバに直接送信するか、又は、浴室ス
イッチユニットに送信し、このサーバ又はユニットはこの信号をあたかもアラームがトリ
ガされたかのように使用する。
【００４９】
スイッチは、クッション４００と一体化することもでき、こうすることで、クッション
に対する強い押圧によって、アラームをトリガすることもできる。
【図１】
2020014858.tif 000003
【図２】
2020014858.tif 000004
【図３】
2020014858.tif 000005
【図４】
2020014858.tif 000006
【手続補正書】
【提出日】令和1年9月24日(2019.9.24)
【手続補正１】
【補正対象書類名】特許請求の範囲
【補正対象項目名】全文
【補正方法】変更
【補正の内容】
【特許請求の範囲】
【請求項１】
浴槽の排水パイプを閉じるための風呂栓装置であって、該風呂栓装置は、
風呂栓（１０）と、
前記風呂栓（１０）の頂部に取り付けられたコーン（２０）と、
前記コーン（２０）の左側及び／又は右側に取り付けられた少なくとも１つのペダル状部（３０）と、を備える、風呂栓装置。
【請求項２】
浴槽の排水パイプを閉じるための風呂栓装置であって、該風呂栓装置は、
風呂栓（１０）と、
前記風呂栓（１０）の頂部に取り付けられた突出部（２０）と、
前記突出部（２０）の左側及び／又は右側に取り付けられた、少なくとも１つのフットレスト部（３０）と、を備える、風呂栓装置。
【請求項３】
請求項２に記載の風呂栓装置において、
前記少なくとも１つのフットレスト部（３０）は、実質的に、前記浴槽の全幅を占める、風呂栓装置。
【請求項４】
請求項１から３の何れか一項に記載の風呂栓装置において、
前記風呂栓装置は、前記風呂栓装置が前記排水パイプから外れると直ぐに浮き始めるように、水の密度より僅かに小さい総合密度を有する、風呂栓装置。
【請求項５】
請求項１から４の何れか一項に記載の風呂栓装置において、
前記風呂栓（１０）は、固定ワイヤによって、電気モータ又は圧縮空気チューブに接続されている、風呂栓装置。
【請求項６】
請求項２から５の何れか一項に記載の風呂栓装置において、
傾きセンサが前記突出部（２０）内に固定され、前記傾きセンサは、風呂安全スイッチ及び／又はホームサーバに無線接続される、風呂栓装置。
【手続補正２】
【補正対象書類名】明細書
【補正対象項目名】００２２
【補正方法】変更
【補正の内容】
【００２２】
第４の好適な実施形態では、本発明は、シャワー転倒防止装置を提供し、該シャワー転倒防止装置は、シャワーの天井の中央近くに固定された、強いゴムバンド又はボックス内に巻き上げられた拡張可能及び格納可能なベルトと、前記強いゴムバンド又は前記伸縮自在の格納式ベルトに固定されたロッドと、固体部の直線部分又は僅かな湾曲部分の中間で又はその近くで、前記ロッドに固定された固体部（例えば、鉄部）と、前記ロッドの左に位置し、かつ前記固体部に接続されたハンドルと、前記直線部分又は僅かな湾曲部分の右側の延長部分に形成されたクッションとを備える。前記固体部は、前記ハンドルから下に曲げられ、次に後方へ半円形に曲げられ、その後再び上に曲げられ、そこから前記直線部分又は湾曲部分が前記右側まで続き、そこで半円形に下へ曲げられている。前記クッションは、上方向及び横方向に移動可能である。
【手続補正３】
【補正対象書類名】明細書
【補正対象項目名】００２３
【補正方法】変更
【補正の内容】
【００２３】
第５の好適な実施形態では、本発明は、シャワー転倒防止装置を提供し、該シャワー転倒防止装置は、固定点に固定された少なくとも１つのロッドと、固体部の直線部分又は僅かな湾曲部分で、前記少なくとも１つのロッドに接続された固体部と、前記固体部に接続されたハンドルと、前記直線部分又は僅かな湾曲部分の右側の延長部分に形成されたクッションとを備える。前記固体部は、前記ハンドルから下へ曲げられ、次に後方へ半円形に曲げられ、その後再び上に曲げられ、そこから前記直線部分又は湾曲部分が前記右側まで続き、そこで半円形に下へ曲げられている。前記クッションは、上方向及び横方向に移動可能である。
【外国語明細書】
2020014858000001.pdf